(57)【要約】【課題】メインスイッチのオフ後、電子機器を速やかにシャットダウンする。【解決手段】電源装置１において、通常動作モードでは、第一ＤＣ／ＤＣコンバータ１６は、第一コンデンサ１５の出力から、エンジン負荷４用に第一動作電圧Ｖ１を生成する。第二コンデンサ１８は、通常動作モードでは第一コンデンサ１５の出力により充電される。また、第二ＤＣ／ＤＣコンバータ１９は、通常動作モードでは、第二コンデンサ１５の出力から、制御負荷５２等のための第二動作電圧Ｖ２を生成する。低電力モードへの移行時、ＣＰＵ５１は、第一ＤＣ／ＤＣコンバータ１６を停止させ、リレー１１１をオフにする。また、第二ダイオードブリッジ１７は、供給された交流電力を整流して第二コンデンサ１８に出力する。ＣＰＵ５１は、低電力モードにおいて、メインスイッチ３等がオフになると、第二コンデンサ１８を急速放電させる。【選択図】図２
2014007818.tif 000002
【特許請求の範囲】
【請求項１】
交流電力の供給をオン／オフするメインスイッチと、動作電圧が異なる第一負荷および第二負荷とを備えた電子機器に設けられる電源装置であって、
通常動作モードでは、前記メインスイッチを介して供給された交流電力を整流する第一整流回路と、
通常動作モードでは、前記第一整流回路の出力を平滑化する第一コンデンサと、
通常動作モードでは、前記第一コンデンサの出力から、前記第一負荷用に第一動作電圧を生成可能な第一ＤＣ／ＤＣコンバータと、
前記第一コンデンサよりも小さな容量値を有し、前記通常動作モードでは、前記メインスイッチのオン／オフに連動する連動スイッチおよびリレーを介して前記第一コンデンサと接続され、該第一コンデンサの出力により充電される第二コンデンサと、
通常動作モードでは、前記第二コンデンサの出力から、前記第一動作電圧とは異なる値の第二動作電圧を前記第二負荷用に生成する第二ＤＣ／ＤＣコンバータと、
低電力モードへの移行時、前記第一ＤＣ／ＤＣコンバータを停止させ、前記リレーをオフにする制御手段と、
低電力モードでは、前記メインスイッチを介して供給された交流電力を整流して、前記第二コンデンサに出力する第二整流回路と、を備え、
前記制御手段は、前記低電力モードにおいて、前記メインスイッチおよび前記連動スイッチがオフになると、前記第二コンデンサを急速放電させる、電源装置。
【請求項２】
前記制御手段は、前記低電力モードにおいて、前記メインスイッチおよび前記連動スイッチの両者がオフになると、前記リレーをオンにし、前記第二負荷を動作させて、前記第二コンデンサを急速放電させ、その後、
前記メインスイッチおよび前記連動スイッチの両者がオフからオンになると、前記第二コンデンサは、前記第一コンデンサの出力により充電され、前記第二整流回路は、前記メインスイッチを介して供給された交流電力を整流して、前記第二コンデンサに出力する、請求項１に記載の電源装置。
【請求項３】
前記低電力モードへの移行時、前記第一ＤＣ／ＤＣコンバータから前記第一負荷への電源ラインは遮断される、請求項１または２に記載の電源装置。
【請求項４】
前記メインスイッチおよび前記連動スイッチがオフからオンになった直後、前記第一ＤＣ／ＤＣコンバータから前記第一負荷への電源ラインと、前記メインスイッチから前記第一整流回路への電源ラインとは遮断される、請求項１〜３のいずれかに記載の電源装置。
【請求項５】
前記第二負荷は、前記第一負荷よりも小さな動作電圧で動作可能であり、
前記制御手段は、前記低電力モードにおいて、前記メインスイッチおよび前記連動スイッチがオフになると、前記第二負荷を動作させて、前記第二コンデンサを急速放電させる、請求項１〜４のいずれかに記載の電源装置。
【請求項６】
請求項１〜５のいずれかに記載の電源装置を備えた、画像形成装置。
【発明の詳細な説明】
【技術分野】
【０００１】
本発明は、動作電圧を異なる複数の負荷毎のＤＣ／ＤＣコンバータを備えた電源装置、およびこれを備えた画像形成装置に関する。
【背景技術】
【０００２】
近年、省エネルギーの要求が高まり、画像形成装置のような電子機器では、低消費電力モードでの低消費電力（例えば０．５Ｗ以下）を達成するために多くの提案がなされている。
【０００３】
従来、この種の画像形成装置としては、例えば特許文献１に記載のものがある。この画像形成装置では、スタンバイ時においてスイッチング電源を停止することで消費電力を約ゼロＷにしている。
【先行技術文献】
【特許文献】
【０００４】
【特許文献１】特開２００７−４７５５６号公報
【発明の概要】
【発明が解決しようとする課題】
【０００５】
しかしながら、上記画像形成装置は、平滑コンデンサが相対的に大きな容量値を有する。それゆえ、低電力モードのように負荷の軽い状態で、ユーザがメインスイッチ（電源スイッチ）をオフにしても、画像形成装置がシャットダウンするまでに時間がかかるという問題点があった。
【０００６】
それゆえに、本発明の目的は、メインスイッチのオフ後、電子機器を速やかにシャットダウン可能な電源装置、およびこれを備えた画像形成装置を提供することである。
【課題を解決するための手段】
【０００７】
上記目的を達成するために、本発明の第一局面は、交流電力の供給をオン／オフするメインスイッチと、動作電圧が異なる第一負荷および第二負荷とを備えた電子機器に設けられる電源装置であって、通常動作モードでは、前記メインスイッチを介して供給された交流電力を整流する第一整流回路と、通常動作モードでは、前記第一整流回路の出力を平滑化する第一コンデンサと、通常動作モードでは、前記第一コンデンサの出力から、前記第一負荷用に第一動作電圧を生成可能な第一ＤＣ／ＤＣコンバータと、前記第一コンデンサよりも小さな容量値を有し、前記通常動作モードでは、前記メインスイッチのオン／オフに連動する連動スイッチおよびリレーを介して前記第一コンデンサと接続され、該第一コンデンサの出力により充電される第二コンデンサと、通常動作モードでは、前記第二コンデンサの出力から、前記第一動作電圧とは異なる値の第二動作電圧を前記第二負荷用に生成する第二ＤＣ／ＤＣコンバータと、低電力モードへの移行時、前記第一ＤＣ／ＤＣコンバータを停止させ、前記リレーをオフにする制御手段と、低電力モードでは、前記メインスイッチを介して供給された交流電力を整流して、前記第二コンデンサに出力する第二整流回路と、を備えている。前記制御手段は、前記低電力モードにおいて、前記メインスイッチおよび前記連動スイッチがオフになると、前記第二コンデンサを急速放電させる。
【０００８】
本発明の第二局面は、上記電源装置を備えた画像形成装置である。
【発明の効果】
【０００９】
上記各局面よれば、メインスイッチのオフ後、電子機器を速やかにシャットダウン可能な電源装置、およびこれを備えた画像形成装置を提供することが可能となる。
【図面の簡単な説明】
【００１０】
【図１】本発明の一実施形態に係る電源装置を備えた画像形成装置の大略的な構成を示す模式図である。
【図２】図１の電源装置の詳細な構成を示すブロック図である。
【図３】図２の電源装置の停止時の動作を示すフロー図である。
【図４】図２の電源装置の起動時の動作を示すフロー図である。
【図５】変形例に係る電源装置の詳細な構成を示すブロック図である。
【発明を実施するための形態】
【００１１】
（実施形態）
図１は、本発明の一実施形態に係る電源装置を備えた画像形成装置の詳細な構成を示す模式図である。また、図２は、図１の電源装置の詳細な構成と、画像形成装置との詳細な接続関係とを示すブロック図である。
【００１２】
電源装置等の説明の前に、以下の文言を定義する。まず、画像形成装置の左右方向および上下方向は、図１の紙面の左右方向および上下方向とする。また、図１に示す構成の中には、参照番号の右側に添え字ａ，ｂ，ｃ，ｄが付加されるものがある。ａ，ｂ，ｃ，ｄは、イエロー（Ｙ）、マゼンタ（Ｍ）、シアン（Ｃ）、ブラック（Ｂｋ）を意味する。例えば、感光体ドラム８７ａは、イエローの感光体ドラム８７を意味する。また、添え字無しの参照番号は、Ｙ，Ｍ，Ｃ，Ｂｋの各色を意味する。例えば、感光体ドラム８７は、Ｙ，Ｍ，Ｃ，Ｂｋ各色の感光体ドラムを意味する。
【００１３】
（画像形成装置の構成）
図１および図２において、画像形成装置は、電子写真方式を採用したＭＦＰ(Multifunction Peripheral)等であり、例えばタンデム方式でフルカラーの印刷物を作成可能に構成されている。具体的には、画像形成装置は、電源装置１と、ＡＣ入力端子２と、メインスイッチ３と、第一負荷の典型例としてのエンジン負荷４と、制御基板５と、供給装置６と、印刷部７と、を備える。
【００１４】
電源装置１は、ＡＣ入力端子２を介して商用電源から交流電圧の供給を受ける。電源装置１は、入力交流電圧から、所望の直流電圧に変換する。本実施形態では、二種類の直流電圧、つまり２４［Ｖ］の直流電圧（動作電圧）Ｖ１と、５［Ｖ］の直流電圧（動作でン亜圧）Ｖ２とが生成される。直流電圧Ｖ１は典型的にはエンジン負荷４に、直流電圧Ｖ２は典型的には制御基板５に提供される。
【００１５】
メインスイッチ３は、ＡＣ入力端子２のＬライン（非接地側ライン）と電源装置１との間に設けられ、例えばユーザのマニュアル操作によりオン／オフされる。
【００１６】
エンジン負荷４は、典型的には、駆動モータ、冷却ファンおよび高圧電源を含んでおり、上記直流電圧Ｖ１で駆動する。駆動モータは、画像形成装置に備わる各回転体（例えば感光体ドラム８７等）に対し回転駆動する。また、冷却ファンは、画像形成装置に備わる発熱部品（定着器等）を冷却する。高圧電源は、画像形成装置に備わる帯電器や現像器等に供給されるＤＣバイアス電圧等を生成する。
【００１７】
制御基板５には、制御手段の典型例としてのＣＰＵ５１と、第二負荷の典型例としての制御負荷５２とが実装されている。ＣＰＵ５１は、画像形成装置の構成各部を制御する。制御負荷５２は、例えばＣＰＵ５１を冷却するための冷却ファンを含む。制御負荷５２としては、他にもインジケータ用の発光ダイオードや液晶ディスプレイ等がある。
【００１８】
図１において、供給装置６において、供給トレイ６１に積載されたシート材Ｓは、ピックアップローラ６２により取り出される。取り出されたシート材Ｓは１枚ずつ、供給ローラ６３および分離ローラ６４によって搬送経路Ｒ１（点線参照）に送り出される。
【００１９】
印刷部７において、レジストローラ対７１はレジストニップを形成している。このレジストニップには、供給装置６から送り出され搬送経路Ｒ１を搬送されてきたシート材Ｓが突き当てられ、一旦停止する。レジストローラ対７１は、後述の二次転写に合うタイミングで、一旦停止したシート材Ｓを搬送経路Ｒ１の下流に送り出す。
【００２０】
印刷部７において、イメージングユニット７２は、レジストローラ対７１に対し搬送経路Ｒ１の直ぐ下流に設けられ、光走査装置８１と、中間転写ベルト８２と、駆動ローラ８３と、従動ローラ８４と、二次転写ローラ８５と、各色の作像ユニット８６と、を含んでいる。また、各色の作像ユニット８６は、回転可能に構成された感光体ドラム８７を含んでいる。
【００２１】
光走査装置８１は、画像データが入力されると、色毎に光ビームγを生成して、回転する感光体ドラム８７の外周面上で走査する。これにより、各外周面に、対応色の静電潜像が生成される。その後、各色用の現像器（図示せず）により静電潜像が現像され、トナー画像が生成される。
【００２２】
中間転写ベルト８２は、ローラ８３，８４間に無端状に張り渡され、矢印αの方向に回転する。この中間転写ベルト８２の所定エリアには、感光体ドラム８７に担持された各トナー画像が順次転写され（一次転写）、各色のトナー画像が重なり合ったフルカラーの合成トナー画像が形成される。合成トナー画像は、中間転写ベルト８２の駆動により、二次転写ローラ８５に向けて搬送される。
【００２３】
二次転写ローラ８５は、中間転写ベルト８２と当接して二次転写ニップを形成する。二次転写ニップには、レジストローラ対７１からシート材Ｓが導入される。二次転写ローラ８５には転写電圧が印加されており、二次転写ニップを通過するシート材Ｓに中間転写ベルト８２上の合成トナー画像が二次転写される。二次転写ローラ８５および中間転写ベルト８２は、二次転写済のシート材Ｓを搬送経路Ｒ１の下流に送り出す。
【００２４】
定着器７３には、加熱ローラおよび加圧ローラによって定着ニップが形成されている。この定着ニップを上記二次転写ニップからのシート材Ｓが通過することで、定着器７３は、シート材Ｓ上に合成トナー画像を定着させる。その後、定着器７３は、搬送経路Ｒ１の下流に設けられた反転／排出ローラ対７４にシート材Ｓを送り出す。
【００２５】
反転／排出ローラ対７４は、シート材Ｓの両面印刷時、第一面（表面）への定着処理済のシート材Ｓが定着器７３から導入されると、第二面（裏面）への印刷のために、該シート材Ｓをスイッチバックして反転経路Ｒ２（一点鎖線参照）に送り出す。このシート材Ｓは、反転経路Ｒ２上に配置された両面搬送ローラ対７５，７６によって、レジストローラ対７１に向けて搬送される。その後、シート材Ｓは、所定の再供給位置で一旦停止させられ、搬送経路Ｒ１と反転経路Ｒ２との合流ポイントを通過する他のシート材Ｓとのタイミング調整がなされた後、表裏反転された状態で、レジストニップに突き当てられる。その後、上記と同様にして、第二面に対し二次転写や定着処理が行われる。
【００２６】
反転／排出ローラ対７４は、第二面への定着処理済のシート材Ｓが導入されると、該シート材Ｓを排出トレイ７７に排出する。また、片面印刷の場合には、第一面への定着処理済のシート材Ｓは、スイッチバックされることなく、反転／排出ローラ対７４から排出トレイ７７に排出される。
【００２７】
（電源装置の構成）
図２において、電源装置１は、モニタ回路１１と、第一リレー１２と、第一整流回路の典型例としての第一ダイオードブリッジ１３と、ＰＦＣ（力率改善回路）１４と、第一コンデンサ１５と、大負荷用の第一ＤＣ／ＤＣコンバータ１６と、第二整流回路の典型例としての第二ダイオードブリッジ１７と、第二コンデンサ１８と、小負荷用の第二ＤＣ／ＤＣコンバータ１９と、連動スイッチ１１０と、第二リレー１１１と、ダイオード１１２と、を備えている。
【００２８】
モニタ回路１１は、電源装置１の前端に設けられる。このモニタ回路１１には、ＡＣ入力端子２のＬラインがメインスイッチ３を介して接続され、さらに、ＡＣ入力端子２のＮラインが接続される。モニタ回路１１は、メインスイッチ３の直後の電圧を監視しており、その結果を示す検出信号Ｓ１をＣＰＵ５１に出力する。本実施形態では、検出信号Ｓ１は、電圧検出時にはＨｉレベルを有し、電圧不検出時にはＬｏレベルを有するとする。
【００２９】
上記ＬラインならびにＮラインは、モニタ回路１１の直後に設けられたノードＮ１ならびにノードＮ２で、第一Ｌラインおよび第二Ｌラインならびに第一Ｎラインおよび第二Ｎラインに分岐される。第一Ｌラインおよび第一Ｎラインは、エンジン負荷４の電力供給用のライン（以下、第一電源ラインという）であり、第二Ｌラインおよび第二Ｎラインは、制御基板５の電力供給用のライン（以下、第二電源ラインという）である。
【００３０】
第一リレー１２は、第一Ｌライン上であってノードＮ１とダイオードブリッジ１３のノードａとの間に設けられる。この第一リレー１２は、制御基板５からの制御信号Ｓ４によりオン／オフされる。
【００３１】
第一ダイオードブリッジ１３において、ノードａは第一リレー１２の出力端と接続され、ノードｂはノードＮ２と接続される。この第一ダイオードブリッジ１３は、第一電源ラインを介して供給された交流電圧を半波整流等して、直流電圧を生成する。
【００３２】
ＰＦＣ１４は、第一ダイオードブリッジ１３のアノード（接地側）およびカソード（非接地側）と接続され、エンジン負荷４の力率を改善する。
【００３３】
第一コンデンサ１５は、第一ダイオードブリッジ１３からみて、ＰＦＣ１４と並列に接続される。具体的には、第一コンデンサ１５の＋端子はＰＦＣ１４の非接地側と、−端子はＰＦＣ１４の接地側と接続される。このような第一コンデンサ１５は、ＰＦＣ１４の出力（直流電圧）を平滑化する。第一コンデンサ１５の容量値は、後述の第二コンデンサ１８の容量値よりも大きい値に選ばれる。
【００３４】
第一ＤＣ／ＤＣコンバータ１６において、入力端子（非接地側）および入力端子（接地側）は、第一コンデンサ１５の＋端子および−端子と接続される。この第一ＤＣ／ＤＣコンバータ１６は、第一コンデンサ１５の出力（平滑化された直流電圧）を、例えば２４［Ｖ］の直流電圧Ｖ１に変換して、出力端子（非接地側）および出力端子（接地側）を介して上記エンジン負荷４に供給する。また、第一ＤＣ／ＤＣコンバータ１６は、ＣＰＵ５１から送信されてくる制御信号Ｓ２によりオン／オフされる。
【００３５】
第二ダイオードブリッジ１７において、ノードｃはノードＮ１と第二Ｌラインにより接続され、ノードｄはノードＮ２と第二Ｎラインにより接続される。この第二ダイオードブリッジ１７は、第二電源ラインを介して供給された交流電圧を半波整流等して、直流電圧を生成する。
【００３６】
第二コンデンサ１８において、＋端子および−端子は、第二ダイオードブリッジ１７のカソード（非接地側）およびアノード（接地側）と接続される。このような第二コンデンサ１８は、第二ダイオードブリッジ１７の出力（直流電圧）を平滑化する。第二コンデンサ１８の容量値は、上記第一コンデンサ１５の容量値よりも大きい値に選ばれる。
【００３７】
第二ＤＣ／ＤＣコンバータ１９は、入力端子（非接地側）および入力端子（接地側）は、第二コンデンサ１８の＋端子および−端子と接続される。この第二ＤＣ／ＤＣコンバータ１９は、第二コンデンサ１８の出力（平滑化された直流電圧）を、例えば５［Ｖ］の直流電圧Ｖ２に変換して、出力端子（非接地側）および出力端子（接地側）を介して上記制御基板５に供給する。また、第二ＤＣ／ＤＣコンバータ１９は、第一ＤＣ／ＤＣコンバータ１６とは異なり、メインスイッチ３がオンの間は常時動作する。
【００３８】
また、電源装置１においては、第一コンデンサ１５の＋端子と、第二コンデンサ１８の＋端子とは第三Ｌラインにより接続される。この第三Ｌライン上には、第一コンデンサ１５の＋端子側から順番に、連動スイッチ１１０と、第二リレー１１１と、ダイオード１１２とが設けられる。連動スイッチ１１０は、メインスイッチ３のオン／オフに連動してオン／オフする。第二リレー１１２は、制御基板５からの制御信号Ｓ３によりオン／オフされる。ダイオード１１２において、アノードは第二リレー１１２と接続され、カソードは第二コンデンサ１８の＋端子と接続される。
【００３９】
（電源装置の通常動作モード）
次に、電源装置１の通常動作モードについて説明する。通常動作モードとは、画像形成装置が印刷可能にするために、エンジン負荷４に直流電圧Ｖ１を供給するモードである。通常動作モードにおいて、メインスイッチ３はオンとなっており、ＡＣ入力端子２を介して、電源装置１には交流電力が供給される。また、メインスイッチ３がオンであるため、連動スイッチ１１０もオンとなる。
【００４０】
上記の状態では、モニタ回路１１は、Ｈｉの検出信号Ｓ１をＣＰＵ５１に定期的に送信する。これに応答して、ＣＰＵ５１は、制御信号Ｓ４，Ｓ３を第一リレー１２および第二リレー１１１に送信して、両リレー１２，１１１をオンにする。
【００４１】
また、モニタ回路１１には、ＡＣ入力端子２を介して交流電力が供給される。モニタ回路１１は、供給された交流電力を、第一リレー１２を介して第一ダイオードブリッジ１３に供給する。第一ダイオードブリッジ１３は、供給された電力を整流し直流電力を生成する。この直流電力は、ＰＦＣ１４により力率改善され、第一コンデンサ１５により平滑化された後、第一ＤＣ／ＤＣコンバータ１６に供給される。
【００４２】
ＣＰＵ５１は、通常動作モードにおいて、第一ＤＣ／ＤＣコンバータ１６を常時動作させるための制御信号Ｓ２を送信する。第一ＤＣ／ＤＣコンバータ１６は、制御信号Ｓ２により駆動され、第一コンデンサ１５の出力が供給されると、２４［Ｖ］の直流電圧Ｖ１を生成する。この直流電圧Ｖ１は、エンジン負荷４の駆動のために供給される。
【００４３】
連動スイッチ１１０および第二リレー１１１がオンになっている。また、第一コンデンサ１５の＋端子は、第二コンデンサ１８の＋端子よりも高電位にされる。したがって、第一コンデンサ１５の出力は第二コンデンサ１８にも供給される。なお、第一コンデンサ１５の＋端子が高電位であるため、通常動作モードの間、第二コンデンサ１８には、第二ダイオードブリッジ１７の出力は供給されない。
【００４４】
上記から分かるように、通常動作モードにおいては、第二コンデンサ１８には、第三Ｌラインを介して、第一コンデンサ１５の出力が供給される。また、第二コンデンサ１８は、放電することにより、第二ＤＣ／ＤＣコンバータ１９に直流電力を供給する。第二ＤＣ／ＤＣコンバータ１９は、メインスイッチ３がオンの間は常時動作しており、第二コンデンサ１８の出力が供給されると、５［Ｖ］の直流電圧Ｖ２を生成する。第二ＤＣ／ＤＣコンバータ１９は、生成した直流電圧Ｖ２を、制御基板５に実装されたＣＰＵ５１や制御負荷５２に供給する。
【００４５】
次に、図３を参照して、電源装置１が通常動作モードから低電力モードに遷移する際の動作について説明する。図３において、ＣＰＵ５１は、最初に、低電力モードに遷移するか否かを判断する（Ｓ２１）。例えば、アイドリング状態、つまり、メインスイッチ３がオンにされ交流電力が電源装置１に供給されているにも関わらず、画像形成装置が非動作状態にある時間が一定時間（例えば２０分）続いたか否かが判断される。
【００４６】
Ｓ２１でＮＯの場合、通常動作モードが維持され（Ｓ２２）、再度Ｓ２１が実行される。それに対し、ＣＰＵ５１は、Ｓ２１でＹＥＳと判断すると、まず、第一ＤＣ／ＤＣコンバータ１６の動作を停止させるために制御信号Ｓ２を出力する（Ｓ２３）。これにより、第一ＤＣ／ＤＣコンバータ１６は、直流電圧Ｖ１の出力をオフにする。さらに、ＣＰＵ５１は、第二リレー１１１および第一リレー１２をオフするための制御信号Ｓ３，Ｓ４を出力する（Ｓ２４，Ｓ２５）。これにより、第一Ｌラインおよび第三Ｌラインをオープンに、つまり遮断する。
【００４７】
両Ｌラインをオープンにしても、第二ダイオードブリッジ１７には交流電力が引き続き供給されているので、第二コンデンサ１８の充電は継続され、第二ＤＣ／ＤＣコンバータ１９には第二コンデンサ１８を介して直流電力が継続的に供給される。また、ＣＰＵ５１は、制御信号Ｓ５により、必要最低限の制御負荷５２（例えば発光ダイオード）以外の動作を停止させる。以上の状態が低電力モードである。
【００４８】
引き続き図３を参照して、電源装置１の停止までの動作について説明する。Ｓ２５の次に、ＣＰＵ５１は、メインスイッチ３および連動スイッチ１１０の両方がオフになっているか否かを判断する（Ｓ２６）。ＮＯの場合、ＣＰＵ５１は、低電力モードを維持して（Ｓ２７）、再度Ｓ２１を実行する。
【００４９】
上記に対し、Ｓ２６でＹＥＳの場合、つまり、メインスイッチＳ３および連動スイッチ１１０がオフにされると、モニタ回路１１がＬｏの検出信号Ｓ１をＣＰＵ５１に送信する。ＣＰＵ５１は、この検出信号Ｓ１を受信すると（Ｓ２８）、次回のメインスイッチ３のオンに備え、第二リレー１１１をオンにするために制御信号Ｓ３を送信する（Ｓ２９）。
【００５０】
現時点では、既にメインスイッチ３がオフになっているが、大半の制御負荷５２の動作が停止している。それゆえ、第二コンデンサ１８の放電に時間がかかり、その結果、第二ＤＣ／ＤＣコンバータ１９から直流電圧Ｖ２が長時間にわたり出力されることが想定される。そこで、ＣＰＵ５１は、動作停止中の制御負荷５２に制御信号Ｓ５を与えて、これらの動作を開始させる（Ｓ２１０）。これにより、第二コンデンサ１８の放電は早まる（Ｓ２１１）。以上のような手順により、ＣＰＵ５１は、電源装置１を早く停止させる。
【００５１】
次に、図４を参照して、電源装置１の停止状態から通常動作モードに遷移するまでの処理について説明する。
【００５２】
ＣＰＵ５１は、まず、メインスイッチ３および連動スイッチ１１０の両方がオンになったか否かを判断する（Ｓ３１）。ＮＯの場合、ＣＰＵ５１は、停止状態を維持して（Ｓ３２）、再度Ｓ３１を実行する。
【００５３】
それに対し、ＹＥＳの場合、連動スイッチ１１０および第二リレー１１１がオンになるため、第一コンデンサ１５に蓄えられていた電荷が第三Ｌラインを通じて第二コンデンサ１８に供給される（Ｓ３３）。
【００５４】
この時点では、メインスイッチ３がオンになってはいるが、第一リレー１２は未だオフであり、エンジン負荷４も起動していない。それゆえ、第二ダイオードブリッジ１７には、ＡＣ入力端子２およびモニタ回路１１を介して交流電力が供給される。交流電力が供給されると、第二ダイオードブリッジ１７は直流電圧を出力して、第二コンデンサ１８を充電する（Ｓ３４）。以上のように、第二コンデンサ１８は、第二および第三Ｌラインの二系統を用いて充電される。その結果、第二コンデンサ１８の充電時間を短縮化することが可能となる。充電時間が短くなると、第二ＤＣ／ＤＣコンバータ１９は、メインスイッチ３のオン後、短時間で起動可能となる。こうして生成された直流電圧Ｖ２はＣＰＵ５１や制御負荷５２に供給される（Ｓ３５）。
【００５５】
Ｓ３５により、ＣＰＵ５１および制御負荷５２は起動する（Ｓ３６）。ＣＰＵ５１は、起動後、第一リレー１２をオンにするために制御信号Ｓ４を出力する（Ｓ３７）。これによって、第一電源ラインを介して、交流電力が第一ダイオードブリッジ１３に供給される。その結果、第一ダイオードブリッジ１３は、第一コンデンサ１５に直流電力を供給し始める（Ｓ３８）。
【００５６】
第一ＤＣ／ＤＣコンバータ１６は、第一コンデンサ１５の出力が供給されると起動し（Ｓ３９）、２４［Ｖ］の直流電圧Ｖ１を生成する。エンジン負荷４は、第一ＤＣ／ＤＣコンバータ１６からの直流電圧Ｖ１により起動する（Ｓ３１０）。
【００５７】
Ｓ３８の時点で、第一コンデンサ１５に蓄えられていた電荷は第二コンデンサ１８に供給されていることも想定される。しかし、第一コンデンサ１５は、第二コンデンサ１８よりも大きな容量値を有するため、第一コンデンサ１５には十分な電荷が残っている場合が多く、これにより、第一コンデンサ１５は短時間で充電される。その結果、メインスイッチ３のオンから、第一ＤＣ／ＤＣコンバータ１６、さらにはエンジン負荷４を早く起動することが可能となる。
【００５８】
（電源装置の作用・効果）
以上説明したように、電源装置１では、メインスイッチ３および連動スイッチ１１０がオフになると（Ｓ２６）、制御負荷５２を強制的に動作させて（Ｓ２１０）、第二コンデンサ１８の放電を加速させる（Ｓ２１１）。これによって、画像形成装置が従来よりも早くシャットダウンできるようになる。
【００５９】
また、電源装置１では、メインスイッチ３および連動スイッチ１１０がオンになると（Ｓ３１）、第二コンデンサ１８は、第二および第三Ｌラインの二系統を用いて充電される（Ｓ３３，Ｓ３４）。これによって、第二ＤＣ／ＤＣコンバータ１９は、メインスイッチ３のオン後、短時間に直流電圧Ｖ２を生成して、ＣＰＵ５１や制御負荷５２を駆動させる（Ｓ３５）。
【００６０】
上記に加えて、第一コンデンサ１５は大容量であり、メインスイッチ３のオンにした時点でも十分な電荷が残っている場合が多い。よって、第一コンデンサ１５は、第二Ｌライン経由の充電だけでも十分に短時間で充電される。その結果、メインスイッチ３のオンから、エンジン負荷４は短時間で起動することになる。
【００６１】
（変形例）
図５は、変形例に係る電源装置１ａの詳細な構成を示すブロック図である。図５において、電源装置１ａは、電源装置１と比較すると、第一ＤＣ／ＤＣコンバータ１６からエンジン負荷４への電源ライン上に、例えばリレーからなる遮断手段６１をさらに備える点で相違する。それ以外に相違点は無いので、図５において、図１の構成に相当するものには、同一の参照符号を付け、それぞれの説明を省略する。
【００６２】
上記遮断手段６１は、ＣＰＵ５１からの制御信号Ｓ６により、低電力モードへの移行時（具体的には、図３のＳ２３〜Ｓ２６までの間）、第一ＤＣ／ＤＣコンバータ１６からエンジン負荷４への電源ラインを遮断する。これにより、第一コンデンサ１５の放電を抑えることが可能となる。
【００６３】
また、遮断手段６１は、ＣＰＵ５１からの制御信号Ｓ６により、メインスイッチ３および連動スイッチ１１０がオフからオンになった直後（図４のＳ３１の直後）、第一ＤＣ／ＤＣコンバータ１６からエンジン負荷４への電源ラインを遮断する。上記に加え、ＣＰＵ５１は、制御信号Ｓ４により第一リレー１２をオフにして、メインスイッチ３から第一ダイオードブリッジ１３への電源ラインを遮断させる。
【産業上の利用可能性】
【００６４】
本発明に係る電源回路および画像形成装置は、短時間で停止可能であり、ＭＦＰだけでなく、複写機、ファクシミリ、プリンタ等の様々な電気機器に適用可能である。
【符号の説明】
【００６５】
１，１ａ  電源装置
１１  モニタ回路
１２  第一リレー
１３  ダイオードブリッジ
１４  ＰＦＣ
１５  第一コンデンサ
１６  大負荷用ＤＣ／ＤＣコンバータ
１７  第二ダイオードブリッジ
１８  第二コンデンサ
１９  小負荷用ＤＣ／ＤＣコンバータ
１１０  連動スイッチ
１１１  第二リレー
１１２  ダイオード
２  ＡＣ入力端子
３  メインスイッチ
４  エンジン負荷
５  制御基板
５１  ＣＰＵ
５２  制御負荷
６１  遮断手段（リレー）
【図１】
2014007818.tif 000003
【図２】
2014007818.tif 000004
【図３】
2014007818.tif 000005
【図４】
2014007818.tif 000006
【図５】
2014007818.tif 000007